(57)【要約】【課題】複数枚の配線プリント基板を省スペースで配置できるようにすると共に、組立を容易にし、作業性を向上させる。【解決手段】電子部品が装着された少なくとも３枚の配線プリント基板１０，２０，３０を遊技機の裏側に複層状に平行に固設し、該各配線プリント基板にはそれぞれコネクタ１１ａ，２１ａ，２２ａを該各配線プリント基板と直交する一平面内に位置しその差込口が同方向を向くように固設する一方、配線中継プリント基板４０の内側面に前記各コネクタの対となるコネクタ１１ｂ，２１ｂ，２２ｂを固設し、該配線中継プリント基板４０を前記各配線プリント基板の一側に該各配線プリント基板と直交状に配設することにより該各配線中継プリント基板のコネクタが前記各配線プリント基板のコネクタに嵌着し、該配線中継プリント基板により前記各配線プリント基板どうしが電気的に導通するようにした。【選択図】図４
2010172413.tif 000002
【特許請求の範囲】
【請求項１】
電子部品が装着された少なくとも３枚の配線プリント基板を遊技機の裏側に複層状に平行に固設し、該各配線プリント基板にはそれぞれコネクタを該各配線プリント基板と直交する一平面内に位置しその差込口が同方向を向くように固設する一方、配線中継プリント基板の内側面に前記各コネクタの対となるコネクタを固設し、該配線中継プリント基板を前記各配線プリント基板の一側に該各配線プリント基板と直交状に配設することにより該各配線中継プリント基板のコネクタが前記各配線プリント基板のコネクタに嵌着し、該配線中継プリント基板により前記各配線プリント基板どうしが電気的に導通するようにしたことを特徴とする遊技機における配線プリント基板配置構造。
【請求項２】
各配線プリント基板はプラスチック製ケースに収容した状態で遊技機の裏側に固設されるようにすると共に、配線中継プリント基板に該配線中継プリント基板の外側面を覆うプラスチック製カバーを固設し、該プラスチック製カバーには取付部が突設され、該取付部を前記プラスチック製ケースおよび遊技機の裏側に着脱自在に係合させられるようにしたことを特徴とする請求項１に記載の遊技機における配線プリント基板配置構造。
【発明の詳細な説明】
【技術分野】
【０００１】
本発明は、パチンコ遊技機、アレンジボール遊技機、雀球遊技機、メダル又はパチンコ球を遊技媒体とするスロットマシン遊技機等の遊技機に内蔵される複数の配線プリント基板の配置構造に関するものである。
【背景技術】
【０００２】
パチンコ遊技機の裏側には、周知のように、遊技全体の動作を制御する主制御基板のほか、賞球の払出しを制御する払出制御基板、パチンコ球の発射を制御する発射制御基板、液晶ディスプレイの図柄表示を制御する図柄表示制御基板、音声、効果音等を制御する音声制御基板、各種表示ランプ、ＬＥＤ等を制御するランプ制御基板、および、電源基板等の複数の配線プリント基板が配設される。
しかし、遊技機の裏側は、各種役物装置の機構部や賞球払出装置の球通路などを設ける必要があるので、これらの配線プリント基板の設置スペースは限られており、特に複数の配線プリント基板間を電気的に接続する多数本のコード配線が嵩張るので、その配置に苦慮していた。
【０００３】
一方、下記特許文献１に示された遊技機では、２枚の配線プリント基板を前後に平行に重なり合うように配置しながらも、前側の配線プリント基板に設けられたコネクタのすべてが後方から視覚的に認識され、且つ該コネクタが後側の配線プリント基板に設けられたコネクタと隣接して並ぶように両配線プリント基板の配置をずらすことで、両配線プリント基板間の電気的な接続が簡素化されるようにしている。
【特許文献１】特開２００３−３３９９７６号公報
【発明の概要】
【発明が解決しようとする課題】
【０００４】
しかし、特許文献１に示されたように配線プリント基板を前後でずらして配置することでは、後側の配線プリント基板のサイズが小さくならざるを得ないという問題がある。特に配線プリント基板を３枚以上重ねて配置する必要がある場合では、さらに後側の配線プリント基板のサイズが一層小さくなってしまうので、多数の電子部品を装着できないという問題がある。
しかも近時のパチンコ遊技機では液晶ディスプレイのサイズが大きくなり遊技盤の遊技領域も以前にも増して拡大しているので、配線プリント基板を設置し得るスペースが狭くなっているうえ、制御回路の複雑化と相俟って電子部品の数は多くなっているので、基板サイズが小さくなるとそれらを装着できなくなるという問題があると同時に、３枚以上の配線プリント基板間を電気的に接続するコード配線が嵩張るので、さらにスペースが狭くなるといった問題があり、その対策に苦慮しているのが現状であった。
本発明はこのような従来の遊技機における配線プリント基板配置上の課題を解決しようとするものである。
【課題を解決するための手段】
【０００５】
そのために本発明に係る遊技機における配線プリント基板配置構造は、電子部品が装着された少なくとも３枚の配線プリント基板を遊技機の裏側に複層状に平行に固設し、該各配線プリント基板にはそれぞれコネクタを該各配線プリント基板と直交する一平面内に位置しその差込口が同方向を向くように固設する一方、配線中継プリント基板の内側面に前記各コネクタの対となるコネクタを固設し、該配線中継プリント基板を前記各配線プリント基板の一側に該各配線プリント基板と直交状に配設することにより該各配線中継プリント基板のコネクタが前記各配線プリント基板のコネクタに嵌着し、該配線中継プリント基板により前記各配線プリント基板どうしが電気的に導通するようにしたことを特徴とする。
【０００６】
また、本発明は上記配線プリント基板配置構造において、各配線プリント基板はプラスチック製ケースに包囲された状態で遊技機の裏側に固設されるようにすると共に、配線中継プリント基板に該配線中継プリント基板の外側面を覆うプラスチック製カバーを固設し、該プラスチック製カバーには取付部が突設され、該取付部を前記プラスチック製ケースおよび遊技機の裏側に着脱自在に係合させられるようにしたことを特徴とする。
【発明の効果】
【０００７】
３枚以上の配線プリント基板を複層状に配置しても各配線プリント基板のサイズを小さくする必要がないので、各配線プリント基板に多数の電子部品を装着でき複雑な制御回路でも自由に形成することができる。また、一枚の配線中継プリント基板によって各配線プリント基板を一括して電気的に接続することができるので、コード配線のように嵩張ることなく、遊技機の裏側スペースを有効に使用できると共に、組立が容易になり、コネクタの接続ミスや付け忘れのおそれもなくすことができ作業性が向上する。
【図面の簡単な説明】
【０００８】
【図１】本発明に係る遊技機裏面における配線プリント基板の配置構造を示す分解斜視図。
【図２】本発明に係る配線中継プリント基板とそのプラスチック製カバーの分解斜視図。
【図３】本発明に係る配線中継プリント基板の裏面の斜視図。
【図４】本発明に係る配線プリント基板をプラスチック製ケースに収容した状態での遊技機の裏面の分解斜視図。
【図５】本発明に係る遊技機の裏面図。
【図６】本発明に係る遊技機の裏側の斜視図。
【図７】図５のＡ−Ａ線断面矢視図。
【図８】図７のＢ−Ｂ線断面矢視図。
【発明を実施するための最良の形態】
【０００９】
次に本発明の実施形態をパチンコ遊技機について図面に従い説明する。図１はパチンコ遊技機の裏側に配置される配線プリント基板とそのプラスチック製ケースの分解斜視図を示す。図中、１は該パチンコ遊技機本体の前面枠取付板で、該前面枠取付板１には先端に取付孔２が開設されたボスが複数個突設されている。また、３は該前面枠取付板１に開設された係合孔である。１０は打球発射装置を制御するためのＩＣ，キャパシタ等の多数の電子部品が装着された打球発射制御用の配線プリント基板、１１ａは該配線プリント基板の表面に該配線プリント基板と直交する一平面内にてその差込口が遊技機の後方を向くように固設されたコネクタ、１２は該配線プリント基板を覆い得るように形成されたプラスチック製ケースである。該配線プリント基板１０およびプラスチック製ケース１２は前記取付孔２にビス止めすることにより前面枠取付板１の裏面に平行に固設される。なお、該プラスチック製ケース１２の一側に窓孔１３が形成され、該窓孔１３から前記コネクタ１１ａの差込口が露呈されるようにしている。
【００１０】
２０は電源回路を形成するための整流器、キャパシタ等の多数の電子部品を装着した電源用の配線プリント基板、２１ａ，２２ａは該配線プリント基板の一側縁に前記コネクタ１１ａと同一平面内に位置してその差込口が該コネクタ１１ａと同方向（即ち、遊技機の後方）を向くように固設したコネクタである。２３は平板状の小ケース２３ａと箱状の大ケース２３ｂとからなるプラスチック製ケースで、配線プリント基板２０を該小ケースと大ケースにより両側から挟んでビス止することにより、図４に示したように該配線プリント基板２０がその内部に包囲される。なお、大ケース２３ｂの一側縁の壁２３ｃはコネクタ２１ａ，２２ａを露出させるように形成されている。また、該大ケース２３ｂには多数の放熱用透孔２３ｄが形成されていると共に、他側縁にサブ基板取付用の延長部２３ｅが一体に形成されている。該配線プリント基板２０およびプラスチック製ケース２３は、前記取付孔２へのビス止め、および係合孔３に図２に示した樹脂製リベット５０（ナイラッチと称される）を係合することにより前記配線プリント基板１０と平行で複層状なるように前面枠取付板１に平行して固設される。なお、樹脂製リベット５０は、図２に示したように、リング状基部５０ａに進退自在に貫挿された摘子部５０ｂを手指で押し引きすることにより係合部５０ｃが拡縮するように形成された周知の止め具である。
【００１１】
３０は賞球の払い出しを制御する払出制御回路を形成するＩＣ，キャパシタ等の多数の電子部品が装着された払出制御用の配線プリント基板、３１ａは該配線プリント基板の表面に該配線プリント基板と直交する一平面内にてその差込口が遊技機の後方を向くように固設されたコネクタである。また、３２は平板状の小ケース３２ａと箱状の大ケース３２ｂとからなるプラスチック製ケースで、配線プリント基板３０を該小ケースと大ケースにより両側から挟んでビス止することにより該配線プリント基板３０が包囲される。なお、大ケース３２ｂの一側縁の壁３２ｃはコネクタ３１ａを露出させるように形成されている。そして、前記大ケース２３ｂの表面に形成された係合部２３ｆに該小ケース３２ａを係合させると共に、該小ケース３２ａに樹脂製リベット５０を貫挿し該樹脂製リベット５０を前記大ケース２３ｂに開設された係合孔２３ｇの係合させることにより、配線プリント基板３０を前記配線プリント基板２０と平行で複層状なるように固設する。
また、３５はこのパチンコ遊技機の隣に設置される球貸出装置（図示せず）と連結するためのコネクタ３６が装着された球貸出制御基板、３７ａ，３７ｂは該球貸出制御基板を包囲するプラスチック製の小ケースと大ケースで、該球貸出制御基板３５は前記延長部２３eに開設された係合孔２３ｈに樹脂製リベット５０によって止着される。
【００１２】
４０は、図２、図３にも示したように、前記各コネクタ１１ａ，２１ａ，２２ａ，３１ａと対となるコネクタ１１ｂ，２１ｂ，２２ｂ，３１ｂをその差込口が遊技機の前方を向くようにそれぞれ内側面に固設し、該各コネクタ１１ｂ，２１ｂ，２２ｂ，３１ｂを繋ぐ中継線４１をプリントしてなる配線中継プリント基板である。また、４５は周縁部に爪部４６，４７が形成され、表面には取付部４８が突設されたプラスチック製カバーで、該プラスチック製カバー４５を配線中継プリント基板４０の外側面にビス止めすることにより該配線中継プリント基板４０の外側面が該プラスチック製カバーにより覆われるようにしている。
【００１３】
そして、図７に示されるように、該配線中継プリント基板４０を該各配線プリント基板１０，２０，３０と直交状に配設し、該各配線中継プリント基板のコネクタ１１ａ，２１ａ，２２ａ，３１ａを該コネクタ１１ｂ，２１ｂ，２２ｂ，３１ｂに嵌着させ、該各配線プリント基板どうしを電気的に導通させると共に、爪部４６を大ケース２３ｂに係合させ、爪部４７を大ケース３２ｂに係合させ、取付部４８に樹脂製リベット５０を貫挿し、該樹脂製リベット５０の係合部５０ｃを前面枠取付板１に着脱自在に係合させる。
【００１４】
このように、配線中継プリント基板４０を中継させることにより、配線プリント基板１０，２０，３０間を簡単に電気的に接続することができ、組み立て作業が容易になると共に、従来の配線コードのように嵩張らないので省スペース化が図られ、接続ミスや付け忘れのおそれもなくすことができる。また、該配線中継プリント基板４０のプラスチック製カバー４５を爪部４６，４７および取付部４８を介してプラスチック製ケース２３，３２および遊技機の裏側に係合したことにより、該配線中継プリント基板４０が保護され、プラスチック製カバー４５に外力が掛かっても各コネクタの連結部にその力が直接及ばないので、各コネクタの連結状態を確固と保持することができる。このため配線プリント基板間での電気的導通不良を生じ難くする利点がある。
【００１５】
なおこの実施形態では、配線中継プリント基板４０によって３枚の配線プリント基板１０，２０，３０間を導通させるようにしたが、同様の構成により３枚以上の配線プリント基板を導通させることもできる。そのような場合でも各配線プリント基板にコネクタをそれぞれ該各配線プリント基板と直交する一平面内に位置しその差込口が同方向を向くように固設することにより、従来のように配置をずらす必要がなく、該各配線プリント基板を中継することができるので、従来のように該各配線プリント基板の配置をずらす必要がなく、各配線プリント基板の大きさが確保される。このため本発明によれば各配線プリント基板に多数の電子部品を装着することが可能となり一層の省スペース化が可能となる。
またこの実施形態では、コネクタ１１ａ，２１ａ，２２ａ，３１ａを各配線プリント基板１０，２０，３０にその差込口が遊技機の後方を向くように固設し、コネクタ１１ｂ，２１ｂ，２２ｂ，３１ｂを配線中継プリント基板４０にその差込口が遊技機の前方を向くように固設したが、コネクタ１１ａ，２１ａ，２２ａ，３１ａをその差込口が遊技機の一側方（各配線プリント基板１０，２０，３０と平行方向）を向くように該各配線プリント基板１０，２０，３０に固設し、コネクタ１１ｂ，２１ｂ，２２ｂ，３１ｂをその差込口が遊技機の他側方（配線中継プリント基板４０に対し垂直方向）を向くように該配線中継プリント基板４０に固設することによっても、該各コネクタ１１ａ，２１ａ，２２ａ，３１ａにコネクタ１１ｂ，２１ｂ，２２ｂ，３１ｂを嵌着させることができる。
【００１６】
なお、配線プリント基板１０，２０，３０は、この実施形態に示した電子回路に限らず、音声、効果音等を制御する音声制御回路、各種表示ランプ、ＬＥＤ等を制御するランプ制御回路、遊技全体の動作を制御する主制御回路等種々の電子回路を構成し得る。６０，６１，６２，６３はこれらの電子回路によって動作制御される賞球払出装置、打球発射装置、スピーカ、景品球タンクを示す。また、スペース６４には遊技盤の裏面に突出した各種役物および液晶表示装置等が位置し得る。従って本発明によれば、これらのスペース６４をより大きく採ることができる。
【産業上の利用可能性】
【００１７】
本発明は、実施形態に示したパチンコ遊技機の他、アレンジボール遊技機、雀球遊技機、メダル又はパチンコ球を遊技媒体とするスロットマシン遊技機等においても複数の配線プリント基板の配置するに際して利用することができる。
【符号の説明】
【００１８】
１                前面枠取付板
２                取付孔
１０              配線プリント基板
１１ａ，１１ｂ    コネクタ
１２              プラスチック製ケース
２０              配線プリント基板
２１ａ，２１ｂ    コネクタ
２２ａ，２２ｂ    コネクタ
２３              プラスチック製ケース
３０              配線プリント基板
３１ａ，３１ｂ    コネクタ
３２              プラスチック製ケース
４０              配線中継プリント基板
４５              プラスチック製カバー
４６，４７        爪部
４８              取付部
【図１】
2010172413.tif 000003
【図２】
2010172413.tif 000004
【図３】
2010172413.tif 000005
【図４】
2010172413.tif 000006
【図５】
2010172413.tif 000007
【図６】
2010172413.tif 000008
【図７】
2010172413.tif 000009
【図８】
2010172413.tif 000010